(57)【要約】【課題】高い生産性を確保しつつ永久磁石を位置ずれすることなく固定することができる電動機とそれを用いた密閉型電動圧縮機、冷凍装置の提供。【解決手段】回転子１８のバックヨーク２１内周面に永久磁石２２を嵌め込む位置決め部２７を設け、この位置決め部２７に永久磁石２２を嵌め込んで位置決めする構成としてある。これにより、永久磁石はバックヨーク内周面の位置決め部によって位置規制され位置ずれすることなく正規の位置に固定でき、磁石固定位置を計測したり治具を用いて位置決めしたりする必要がなくなって生産性が向上するとともに、永久磁石の位置ずれにより生じる回転子の動バランス崩れを防止して回転振動の増加を抑制し低減することができる。【選択図】図３
2020167746.tif 000002
【特許請求の範囲】
【請求項１】
コイルを巻装して構成した固定子と、前記固定子の外周を回転するバックヨークの内周面に複数の永久磁石を固定して構成した回転子とからなるアウターロータ型の電動機であって、前記回転子はそのバックヨーク内周面に前記複数の永久磁石を嵌め込む位置決め部を設け、この位置決め部に永久磁石を嵌め込んで固定した電動機。
【請求項２】
位置決め部はバックヨークの内周面に一体形成して構成した請求項１記載の電動機。
【請求項３】
位置決め部はバックヨークの内周面に凹所を形成して構成した請求項１または２記載の電動機。
【請求項４】
位置決め部はバックヨークの内周面と永久磁石の外周面のいずれか一方に突起を設けるとともに他方に前記突起に嵌り込む凹部を設けて構成した請求項１または２記載の電動機。
【請求項５】
位置決め部はバックヨーク内周面に各永久磁石の両端縁に当接して位置規制する凸部を突出形成して構成した請求項１または２記載の電動機。
【請求項６】
位置決め部はその中央部分のバックヨーク板厚が両端部分のバックヨーク板厚よりも厚くなる断面形状とした請求項１または２記載の電動機。
【請求項７】
圧縮要素と、この圧縮要素を駆動する電動機要素からなり、上記電動機要素を請求項１〜６のいずれか１項記載の電動機で構成した密閉型電動圧縮機。
【請求項８】
圧縮機、放熱器、減圧装置及び吸熱器を配管によって環状に連結した冷媒回路を有し、前記圧縮機を、請求項７記載の密閉型圧縮機とした冷凍装置。
【発明の詳細な説明】
【技術分野】
【０００１】
本発明は、電動機及びそれを用いた密閉型電動圧縮機、冷凍装置に関するものである。
【背景技術】
【０００２】
一般に電動機は回転駆動する部品等を備えた各種装置に使用されており、使用される装置に応じて種々のものが用いられている。例えば冷凍冷蔵庫のような冷凍装置では冷媒を圧縮する密閉型電動圧縮機を備えており、その密閉型電動圧縮機の駆動源として電動機が用いられている。
【０００３】
前記冷凍冷蔵庫は、食材の多様化にともない冷蔵庫本体の大容量化要望が強まっており、そのため冷蔵庫本体の外観寸法はそのままで庫内容積を広げるべくその回転駆動部品となる密閉型電動圧縮機は、小型、低背化が進められている。
【０００４】
このような密閉型電動圧縮機の小型、低背化に適する電動機としては、固定子の外側を回転子が回るアウターロータ型モータがある（例えば、特許文献１参照）。
【０００５】
図９は、特許文献１に記載された密閉型電動圧縮機を示し、この密閉型電動圧縮機は、アウターロータ型モータの電動機要素１１０とこれによって駆動される圧縮要素１２０とを密閉容器１００内に組み込んで構成してある。
【０００６】
圧縮要素１２０は、シリンダブロック１２１と、シリンダブロック１２１のシリンダ１２２内に往復動自在に配置したピストン１２３と、ピストン１２３にコンロッド１２４を介して連係させ、コンロッド１２４を介してピストン１２３を往復動させるクランクシャフト１２５とから構成され、クランクシャフト１２５は、電動機要素１１０により駆動される。
【０００７】
電動機要素１１０は、固定子１１１と固定子１１１の外周を回る回転子１１２とで構成されており、いわゆるアウターロータ型モータとなっている。
【０００８】
回転子１１２は、フランジプレート１１３を介してクランクシャフト１２５に連結された筒状のバックヨーク１１４と、このバックヨーク１１４の内周面に均等に接着固定された複数の永久磁石１１５とから構成されている。
【０００９】
一方、固定子１１１は、シリンダブロック１２１の軸受部１２６に固定されたコア１１６とコア１１６に巻回されたコイル１１７とから構成されている。そして、固定子１１１のコイル１１７への通電によって磁界を発生させ、永久磁石１１５を介しバックヨーク１１４を回転させ、このバックヨーク１１４と一体のクランクシャフト１２５を介してピストン１２３を往復動させることにより、冷媒を圧縮し冷却に供するようになっている。
【先行技術文献】
【特許文献】
【００１０】
【特許文献１】特開２０１６−６３０３号公報
【発明の概要】
【発明が解決しようとする課題】
【００１１】
上記特許文献１に記載されている密閉型電動圧縮機の電動機要素１１０は、小型、低背化に適したものではあるが、生産性が悪く、かつ、回転子１１２を構成する複数の永久磁
石１１５のバックヨーク１１４内周面に対する固定位置がずれやすく、この磁石位置ずれにより回転子１１２の動バランスが崩れて回転振動が大きくなるという課題があった。
【００１２】
すなわち、上記回転子１１２を構成する複数の永久磁石１１５は、バックヨーク１１４内周面への固定に際し、まず１個目の永久磁石を接着固定した後、この永久磁石を基準に次の永久磁石の固定位置を計測しながら順次接着固定していくため、接着固定に時間がかかり、生産性が悪くなるのであった。
【００１３】
更にこれに加え、順次接着固定していく各永久磁石は計測しながら順次固定していくため計測バラツキによって正規の位置から位置ずれしやすく、その結果、回転子１１２の動バランスが崩れ、回転振動が大きくなるのであった。
【００１４】
この各永久磁石の位置ずれは治具を用いて位置合わせしながら各永久磁石を接着固定することによって解消することが提案されているが、これによると別途冶具を必要とする上に治具をセットする時間が余分に必要となって益々生産性が低下するという課題があった。
【００１５】
本発明はこのような点に鑑みてされたもので、高い生産性を確保しつつ永久磁石の位置ずれを確実に防止できる電動機とそれを用いた密閉型電動圧縮機、冷凍装置の提供を目的としたものである。
【課題を解決するための手段】
【００１６】
本発明は、上記目的を達成するため、バックヨークの内周面に永久磁石を嵌め込む位置決め部を設け、この位置決め部に永久磁石を嵌め込んで固定した構成としてある。
【００１７】
これにより、永久磁石はバックヨーク内周面の位置決め部によって位置規制され位置ずれすることなく正規の位置に固定でき、磁石の固定位置を計測したり治具を用いて位置決めしたりする必要がなくなって生産性が向上するとともに、永久磁石の位置ずれにより生じる回転子の動バランスの崩れを防止して回転振動を抑制しこれを低減することができる。
【発明の効果】
【００１８】
本発明は、上記構成により、安価でかつ回転振動の少ない電動機とそれを用いた密閉型電動圧縮機、冷凍装置とすることができる。
【図面の簡単な説明】
【００１９】
【図１】本発明の実施の形態１における電動機を用いた密閉型電動圧縮機の縦断面図
【図２】同実施の形態１における密閉型電動圧縮機の電動機要素を示す断面図
【図３】同実施の形態１における電動機要素を示す図２のＡ−Ａ断面図
【図４】同実施の形態１の電動機要素におけるバックヨークの磁石固定部を示す拡大断面図
【図５】同実施の形態２の電動機要素におけるバックヨークの磁石固定部を示す拡大断面図
【図６】同実施の形態３の電動機要素におけるバックヨークの磁石固定部を示す拡大断面図
【図７】同実施の形態４の電動機要素におけるバックヨークの磁石固定部を示す拡大断面図
【図８】同本発明の実施の形態５における冷凍装置の模式図
【図９】従来の電動機を用いた密閉型電動圧縮機の縦断面図
【発明を実施するための形態】
【００２０】
第１の発明は、コイルを巻装して構成した固定子と、前記固定子の外周を回転するバックヨークの内周面に複数の永久磁石を固定して構成した回転子とからなるアウターロータ型の電動機であって、前記回転子はそのバックヨーク内周面に前記複数の永久磁石を嵌め込む位置決め部を設け、この位置決め部に永久磁石を嵌め込んで固定した構成としてある。
【００２１】
これにより、永久磁石はバックヨーク内周面の位置決め部によって位置規制され位置ずれすることなく正規の位置に固定でき、磁石の固定位置を計測したり治具を用いて位置決めしたりする必要がなくなって生産性が向上するとともに、永久磁石の位置ずれにより生じる回転子の動バランス崩れを防止して回転振動を抑制しこれを低減することができる。
【００２２】
第２の発明は、特に、第１の発明において、前記位置決め部はバックヨークの内周面に一体形成した構成としてある。
【００２３】
これにより、バックヨークとは別の位置決め用部材を別途バックヨーク内周面に装着して位置決め部を構成するような必要がなくなり、位置決め用部材の材料費削減と位置決め用部材装着工数の削減によるさらなる生産性の向上が可能となり、より安価に永久磁石の位置ずれ防止による回転振動抑制効果を実現できる。
【００２４】
第３の発明は、特に、第１または第２の発明において、前記位置決め部はバックヨークの内周面に凹所を形成して構成してある。
【００２５】
これにより、前記第２の各発明と同様、より高い生産性を確保しつつ永久磁石の位置ずれによる磁気バランスの崩れも防止できて回転振動を抑制しこれを低減することができる。
【００２６】
第４の発明は、特に、第１または第２の発明において、前記位置決め部はバックヨークの内周面と永久磁石の外周面のいずれか一方に突起を設けるとともに他方に前記突起に嵌り込む凹部を設けて構成してある。
【００２７】
これにより、位置決め部を設けることによって生じるバックヨークの板厚減少を抑制することができ、位置決め部を設けることにより生じる弊害、すなわち、位置決め部を設けてバックヨーク板厚が減少することにより生じる磁束密度飽和レベルの低下による回転性能の低下を抑制することができる。したがって、回転性能の低下を抑制しつつ永久磁石の位置ずれ防止による回転振動抑制を実現することができる。つまり、回転性能低下防止と回転振動抑制とを両立することができる。
【００２８】
第５の発明は、特に、第１または第２の発明において、前記位置決め部はバックヨーク内周面に各永久磁石の両端縁に当接して位置規制する凸部を突出形成して構成してある。
【００２９】
これにより、位置規制部を設けることによって生じるバックヨーク板厚の減少をゼロにすることができ、磁束密度飽和レベルの低下による回転性能の低下を抑制しつつ永久磁石の位置ずれ防止による回転振動抑制を実現することができる。つまり、回転性能の低下防止と回転振動抑制の両立を前記第４の発明よりもより高いレベルで実現し、高性能且つ低振動な電動機とすることができる。
【００３０】
第６の発明は、特に、第１または第２の発明において、前記位置決め部はその中央部分のバックヨーク板厚が両端部分のバックヨーク板厚よりも厚くなるような断面形状とした構成としてある。
【００３１】
これにより、バックヨークは位置決め部の両端部分でその板厚が薄くなっても中央部分の板厚が厚いのでバックヨークに形成される磁束の磁束密度飽和レベルは位置決め部を設けない場合と略同様のレベルとすることができ、回転性能の低下を抑制しつつ永久磁石の位置ずれ防止による回転振動抑制を実現することができる。つまり、回転性能の低下防止と回転振動抑制の両立を前記第４の発明よりもより高いレベルで実現し、高性能且つ低振動な電動機とすることができる。
【００３２】
第７の発明は前記各発明の電動機を用いた密閉型電動圧縮機であり、この密閉型電動圧縮機は、圧縮要素と、この圧縮要素を駆動する電動機要素からなり、上記電動機要素は前記第１〜第６の発明のいずれかの電動機で構成してある。
【００３３】
これにより、前記第１〜第６の発明の電動機が持つ高い生産性と回転振動抑制効果によって、安価でかつ振動の少ない密閉型電動圧縮機とすることができる。
【００３４】
第８の発明は上記密閉型電動圧縮機を用いた冷凍装置であり、この冷凍装置は、圧縮機、放熱器、減圧装置、吸熱器を配管によって環状に連結した冷媒回路を有し、前記圧縮機を第７の発明の密閉型電動圧縮機としてある。
【００３５】
これにより、密閉型電動圧縮機が持つ効果によって安価でかつ振動騒音の少ない冷凍装置とすることができる。
【００３６】
以下、本発明の実施の形態について、図面を参照しながら説明する。なお、この実施の形態によって本発明が限定されるものではない。
【００３７】
（実施の形態１）
図１は本発明の実施の形態１における電動機を用いた密閉型電動圧縮機の縦断面図、図２は同実施の形態１における密閉型電動圧縮機の電動機要素を示す断面図、図３は同実施の形態１における図２のＡ−Ａ断面図、図４は同実施の形態１の電動機要素におけるバックヨークの磁石固定部を示す拡大断面図である。
【００３８】
図１〜図４において、本実施の形態１における密閉型電動圧縮機は、鉄板の絞り成型によって形成された密閉容器１内に、インバータ電源（図示せず）によって駆動される電動機要素２と、この電動機要素２によって駆動される圧縮要素３とがそれぞれ収納され、密閉容器１の底部には、オイル４が貯留されている。さらに、密閉容器１内には、例えば、地球温暖化係数の低い炭化水素系のＲ６００ａ等の冷媒ガス５が、冷凍装置（図示せず）の低圧側と同等圧力で、比較的低温の状態で封入されている。
【００３９】
電動機要素２と圧縮要素３は、一体に組み立てられて圧縮機本体６を構成し、この圧縮機本体６は、コイルばね７によって密閉容器１内に弾性的に支持されている。
【００４０】
圧縮要素３はシリンダブロック８を主体に構成されており、そのシリンダブロック８には円筒状のシリンダ９が形成され、ピストン１０が往復自在に嵌入されている。そして、シリンダ９はその開口端にバルブプレート１１が取り付けられており圧縮室１２を形成している。さらに、バルブプレート１１を覆って蓋をするようにシリンダヘッド１３が固定されている。
【００４１】
また、シリンダブロック８はその下部に主軸受部１４が形成されており、回転軸となるクランクシャフト１５を軸支している。
【００４２】
クランクシャフト１５は、主軸受部１４に軸支される主軸部１５ａとツバ部１５ｂを介して形成された偏芯軸部１５ｃとから構成されると共に、主軸部１５ａの下端から偏芯軸部１５ｃの上端まで連通する給油通路１６を備えている。さらに、主軸部１５ａの下端は、密閉容器１内に貯留したオイル４に浸漬すると共に、偏芯軸部１５ｃの上端部は、密閉容器１内の上部に開口している。そして、偏芯軸部１５ｃは、コンロッド１７を介してピストン１０と連結されている。
【００４３】
電動機要素２は、回転子１８と固定子１９とからなり、回転子１８が固定子１９の外側を回り、小型化、薄型化に適したインバータ駆動のアウターロータ型モータとなっている。
【００４４】
回転子１８は、主軸部１５ａに固定された円板状のフランジプレート２０と、このフランジプレート２０の端部に溶接等で固定されたリング状のバックヨーク２１と、このバックヨーク２１の内周面に密着して固定された複数の永久磁石２２とから構成されている。上記永久磁石２２はこの実施の形態では接着剤２３によってバックヨーク２１の内周面に接着固定してあるが、これに限られるものではなく、例えば両面テープ等によって固定してもよく、その他適切な固定手段を用いて固定すればよい。
【００４５】
一方、固定子１９は、コア２４とこのコア２４に巻回されたコイル２５とから構成されている。そして、上記固定子１９は、回転子１８の永久磁石２２によって外周を囲まれるように配置され、コイル２５とシリンダブロック８との間に絶縁距離を確保しつつ、回転子１８と同軸になるように、固定ボルト２６によってシリンダブロック８の下側に固定されている。
【００４６】
ここで、上記回転子１８は図３、図４に示すようにそのバックヨーク２１の内周面に永久磁石２２と同数の位置決め部２７が形成してある。この例ではバックヨーク２１の内面に上下短冊状の凹所２８を切削加工によって一体形成して位置決め部２７としてある。
【００４７】
そして、上記位置決め部２７に各永久磁石２２を嵌め込み、接着剤２３によって位置決め部２７に接着固定してある。この永久磁石２２の位置決め部２７への固定は、この実施の形態では接着剤２３を用いているが、これに限られるものではなく、例えば両面テープ等によって固定してもよく、適切な固定手段を用いて固定すればよい。
【００４８】
以上のように構成された密閉型圧縮機について、以下その動作、作用を説明する。
【００４９】
まず密閉型電動圧縮機としての動作を簡単に説明しておく。電動機要素２にインバータ電源（図示せず）から通電すると、固定子１９に電流が流れ、磁界が発生し、クランクシャフト１５の主軸部１５ａに固定された回転子１８が回転する。
【００５０】
回転子１８の回転により、クランクシャフト１５の偏芯軸部１５ｃに回転自在に取り付けられたコンロッド１７を介して、ピストン１０が圧縮室１２内を往復運動し、圧縮要素３が所定の圧縮動作を行う。
【００５１】
次に本発明の特徴である回転子１８における永久磁石２２の位置決め効果について説明する。
【００５２】
上記回転子１８は既述したようにバックヨーク２１内周面に固定した各永久磁石２２の位置がずれると動バランスが崩れ、振動が大きくなるが、この電動機要素２の回転子１８はバックヨーク２１の内周面に位置決め部２７が設けてあるので、この各位置決め部２７に各永久磁石２２を嵌め込めば永久磁石２２は正規の位置に正確に位置決めし固定するこ
とができる。
【００５３】
したがって、従来のように永久磁石２２のバックヨーク２１への固定に際し、固定位置を計測したり、治具を用いたりすることなく、かつ、位置ずれすることなく、永久磁石２２をバックヨーク２１の内周面に固定することができる。
【００５４】
これにより、永久磁石２２のバックヨーク２１への固定に要する作業時間が大幅に短縮でき、生産性が大きく向上する。しかも、上記永久磁石２２は位置ずれすることなく固定できるので、回転子１８の動バランスが崩れるようなことがなくなり、回転振動が大きくなるのを抑制することができる。
【００５５】
また、本実施の形態では、特に上記位置決め部２７はバックヨーク２１の内周面に凹所２８を切削加工することによって一体形成してあるから、バックヨーク２１とは別の位置決め用部材を別途バックヨークの内周面に装着して位置決め部を構成するような必要がなく、位置決め用部材の材料費削減と位置決め用部材装着工数の削減によりさらなる生産性の向上が可能となる。よって、より安価に永久磁石２２の位置ずれ防止による回転振動抑制を実現することができる。
【００５６】
また、この電動機要素２を用いた密閉型電動圧縮機は、電動機要素２が安価に提供でき、かつその回転振動が抑制されているので、安価でかつ振動の少ない密閉型電動圧縮機とすることができる。
【００５７】
特に、この実施の形態では上記電動機要素２をインバータ駆動させるようにしているが、上記電動機要素２の回転子１８は動バランスが崩れないので回転数変化に対する追従性が良く、動バランスが崩れていると回転振動が大きくなりやすいインバータ制御を行っても回転子１８の回転振動を抑制でき、効果的である。
【００５８】
（実施の形態２）
図５は本発明の実施の形態２の電動機要素におけるバックヨークの磁石固定部を示す拡大断面図である。
【００５９】
この実施の形態は、位置決め部２７を設けることによって生じるバックヨーク２１の板厚減少を抑制しつつ位置決め部２７を設けて回転振動を抑制するようにしたものである。
【００６０】
すなわち、本実施の形態２の位置決め部２７は、永久磁石２２の外周面に突起３０を２ヶ所設けるとともに、バックヨーク２１の内周面に突起３０が嵌り込む凹部３１を設けた構成としてある。なお、本実施の形態においては、突起３０を永久磁石２２に設け、凹部３１をバックヨーク２１に設けてあるが、これは逆であってもよい。
【００６１】
この構成によれば、バックヨーク２１の板厚減少を極めて少ないものとすることができ、バックヨーク２１の板厚が減少することにより生じる磁束密度飽和レベルの低下による回転性能の低下を効果的に抑制することができ、回転性能の低下を抑制しつつ位置ずれ防止による回転振動の抑制効果を実現することができる。
【００６２】
詳述すると、前記実施の形態１に示す構成では、位置決め部２７を設けたことによってバックヨーク２１の板厚が減少してしまう。その結果、バックヨーク２１に発生する磁束は少ない状態で飽和、換言すると磁束密度飽和レベルが低下し、回転トルクが低下する等回転性能が低下することになる。
【００６３】
しかしながら、この実施の形態２の構成によれば、位置決め部２７は突起３０と凹部３
１で形成されているので、バックヨーク２１の板厚減少はきわめて少ないものとすることができる。
【００６４】
したがって、位置決め部２７を設けたことにより生じる磁束密度飽和レベルの低下を少なくして、回転性能の低下を抑制することができ、回転性能の低下を抑制しつつ回転振動の抑制効果を実現することができる。
【００６５】
（実施の形態３）
図６は本発明の実施の形態３の電動機要素におけるバックヨークの磁石固定部を示す拡大断面図である。
【００６６】
この実施の形態は、位置決め部２７を設けることによって生じるバックヨーク２１の板厚減少を抑制しつつ位置決め部２７を設けて回転振動を抑制する効果を更に高めたものである。
【００６７】
すなわち、この実施の形態３における位置決め部２７は、バックヨーク２１の内周面に各永久磁石２２の両端縁に当接して位置規制する凸部３３を突出形成した構成してある。
【００６８】
この構成によれば、バックヨーク２１の板厚を減じることなく凸部３３を突出形成した形となるので、位置決め部２７を設けることによって生じるバックヨーク板厚の減少をゼロにすることができる。
【００６９】
したがって、バックヨーク２１の磁束密度飽和レベルの低下による回転性能の低下をゼロにすることができ、磁束密度飽和レベルの低下防止と永久磁石２２の位置ずれ防止による回転振動抑制効果を前記第２の発明よりもより高いレベルで両立することができる。よって、更に低振動且つ高性能な電動機とすることができる。
【００７０】
（実施の形態４）
図７は本発明の実施の形態４の電動機要素におけるバックヨークの磁石固定部を示す拡大断面図である。
【００７１】
この実施の形態も、位置決め部２７を設けることによって生じるバックヨーク２１の板厚減少を抑制しつつ位置決め部２７を設けて回転振動を抑制する効果を高めたものである。
【００７２】
すなわち、位置決め部２７は、その中央部分のバックヨーク板厚Ｔ１が両端部分のバックヨーク板厚Ｔ２よりも厚くなるように湾曲断面形状とした構成としてある。
【００７３】
これにより、バックヨーク２１は位置決め部２７の両端部分でその板厚Ｔ２が薄くなっても中央部分の板厚Ｔ１が厚いので、バックヨーク２１に形成される磁束の磁束密度飽和レベルは位置決め部２７を設けない場合と同様のレベルとすることができ、回転性能の低下を抑制しつつ永久磁石２２の位置ずれ防止による回転振動低減を実現することができる。
【００７４】
（実施の形態５）
図８は本発明の実施の形態１〜４のいずれかの密閉型圧縮機を用いた冷凍装置の構成を示す模式図である。ここでは、冷媒回路に、実施の形態１〜４のいずれかで説明した密閉型電動圧縮機を搭載した構成とし、冷凍装置の基本構成の概略について説明する。
【００７５】
図８において、冷凍装置は、一面が開口しその開口を扉で開閉する断熱性の本体３５と
、本体３５の内部を、物品の貯蔵空間３６と機械室３７に区画する区画壁３８と、貯蔵空間３６内を冷却する冷媒回路３９を具備している。
【００７６】
冷媒回路３９は、圧縮機４０として実施の形態１または２で説明した密閉型圧縮機と、放熱器４１と、減圧装置４２と、吸熱器４３とを環状に配管４４によって連結接続した構成となっている。そして、吸熱器４３は、送風機（図示せず）を具備した貯蔵空間３６内に配置されている。吸熱器４３の冷却熱は、図８に矢印Ｍで示したように、送風機によって貯蔵空間３６内を循環するように撹拌され、貯蔵空間３６内は冷却される。
【００７７】
以上説明した冷凍装置は、密閉型圧縮機が安価でかつ振動が少ないので、安価でかつ振動騒音の少ない冷凍装置とすることができる。そして、密閉型圧縮機の全高が低く抑制されているので、冷凍装置の機械室３７の高さを低く抑え、貯蔵空間３６の容積を増やすことができる。
【００７８】
以上、本発明は上記実施の形態を用いて説明してきたが、上記実施の形態で説明した構成は、本発明を実施する一例として示したものであり、本発明の目的を達成する範囲で種々変更可能なことは言うまでもなく、本発明の技術的思想に基づく構成が適用されたアウターロータ型の電動機、密閉型圧縮機、冷凍装置を含むものである。
【産業上の利用可能性】
【００７９】
以上のように、本発明は、安価でかつ回転振動の少ない電動機とそれを用いた密閉型電動圧縮機、冷凍装置とすることができ、冷凍冷蔵庫、あるいはエアーコンディショナー、業務用ショーケース、自動販売機等、各種の冷凍装置に広く適用することができる。
【符号の説明】
【００８０】
２  電動機要素
３  圧縮要素
１８  回転子
１９  固定子
２１  バックヨーク
２２  永久磁石
２３  接着剤
２５  コイル
２７  位置決め部
２８  凹所
３０  突起
３１  凹部
３３  凸部
３９  冷媒回路
４０  圧縮機
４１  放熱器
４２  減圧装置
４３  吸熱器
Ｔ１  中央部分のバックヨーク板厚
Ｔ２  両端部分のバックヨーク板厚
【図１】
2020167746.tif 000003
【図２】
2020167746.tif 000004
【図３】
2020167746.tif 000005
【図４】
2020167746.tif 000006
【図５】
2020167746.tif 000007
【図６】
2020167746.tif 000008
【図７】
2020167746.tif 000009
【図８】
2020167746.tif 000010
【図９】
2020167746.tif 000011